(57)【要約】【課題】  例えば、コピー防止等のセキュリティが確保されているデータについても、そのセキュリティのレベル次第で表示させたりすることを可能とする。【解決手段】  ディスプレイコントローラ１０２は、少なくとも一つのデータを入力し、入力されたデータに付加される当該データに係る第１の情報に基づいて、外部ディスプレイ１０５上でのデータの表示状態を切り換える。【選択図】  図１
2006340320.tif 000002
【特許請求の範囲】
【請求項１】
画像を表示可能な表示装置と通信回線を介して接続されるデータ処理装置であって、
少なくとも一つのデータを入力するデータ入力手段と、
前記データ入力手段により入力された前記データに付加される前記データに係る第１の情報に基づいて、前記表示装置上での前記データの表示状態を切り換える制御手段とを有することを特徴とするデータ処理装置。
【請求項２】
前記表示装置に係る第２の情報を取得する取得手段を更に有し、
前記制御手段は、前記第１の情報と前記第２の情報とを比較し、その比較結果に基づいて前記表示装置上での前記データの表示状態を切り換えることを特徴とする請求項１に記載のデータ処理装置。
【請求項３】
前記制御手段は、前記第１の情報と前記第２の情報との比較結果に基づいて、前記表示装置上で前記データを表示させないように制御することを特徴とする請求項２に記載のデータ処理装置。
【請求項４】
前記データの解像度を低い解像度に変換する解像度変換手段を更に有し、
前記制御手段は、前記第１の情報と前記第２の情報との比較結果に基づいて、前記解像度変換手段により前記データの解像度を変換させ、前記表示装置上で表示させるように制御することを特徴とする請求項２に記載のデータ処理装置。
【請求項５】
前記制御手段により切り換えられる前記データの表示状態を任意の表示状態に設定可能な設定手段を更に有することを特徴とする請求項１又は２に記載のデータ処理装置。
【請求項６】
前記制御手段は、前記データ毎に前記第１の情報と前記第２の情報との比較処理を行い、その比較結果に応じて、前記データ毎に前記表示装置上での表示状態の制御を行うことを特徴とする請求項１乃至５の何れか１項に記載のデータ処理装置。
【請求項７】
前記表示装置と当該データ処理装置との接続状態を検知する検知手段と、
前記検知手段による検知結果に基づいて、前記データを前記表示装置に対して出力しないように制御する出力制御手段とを更に有することを請求項１に記載のデータ処理装置。
【請求項８】
前記第１の情報は、前記データのセキュリティレベルを示す情報であり、前記第２の情報は、前記表示装置の信頼度を示す情報であることを特徴とする請求項１乃至７の何れか１項に記載のデータ処理装置。
【請求項９】
画像を表示可能な表示装置と通信回線を介して接続されるデータ処理装置によるデータ処理方法であって、
少なくとも一つのデータを入力するデータ入力ステップと、
前記データ入力ステップにより入力された前記データに付加される前記データに係る第１の情報に基づいて、前記表示装置上での前記データの表示状態を切り換える制御ステップとを含むことを特徴とするデータ処理方法。
【請求項１０】
請求項９に記載のデータ処理方法をコンピュータに実行させるためのプログラム。
【請求項１１】
請求項１０に記載のプログラムを記録したコンピュータ読み取り可能な記録媒体。
【発明の詳細な説明】
【技術分野】
【０００１】
本発明は、例えば、コピー防止等のセキュリティが確保されたデータの表示装置上での表示制御を行うためのデータ処理装置及びデータ処理方法に関するものである。
【背景技術】
【０００２】
従来、出力する映像信号のコピー防止などのセキュリティを確保するために、コピープロテクトを必要とする文書に対しては表示画面の出力をしないようにしている（例えば、特許文献１参照）。
【０００３】
【特許文献１】特開２００４−１８５５６８号公報
【発明の開示】
【発明が解決しようとする課題】
【０００４】
上述したように、上記従来例では、セキュリティを確保する場合に外部映像機器に表示する構成をとることができないといった問題点がある。また、複数の異なる表示データが同じ画面に出力される場合でも、全てのデータが一緒に扱われてしまう。
【０００５】
そこで、本発明の目的は、例えば、コピー防止等のセキュリティが確保されているデータについても、そのセキュリティのレベル次第で表示させたりすることを可能とすることにある。
【０００６】
また、本発明は、データ毎に表示内容を制御することを可能とすることを目的とする。
【課題を解決するための手段】
【０００７】
本発明のデータ処理装置は、画像を表示可能な表示装置と通信回線を介して接続されるデータ処理装置であって、少なくとも一つのデータを入力するデータ入力手段と、前記データ入力手段により入力された前記データに付加される前記データに係る第１の情報に基づいて、前記表示装置上での前記データの表示状態を切り換える制御手段とを有することを特徴とする。
本発明のデータ処理方法は、画像を表示可能な表示装置と通信回線を介して接続されるデータ処理装置によるデータ処理方法であって、少なくとも一つのデータを入力するデータ入力ステップと、前記データ入力ステップにより入力された前記データに付加される前記データに係る第１の情報に基づいて、前記表示装置上での前記データの表示状態を切り換える制御ステップとを含むことを特徴とする。
本発明のプログラムは、前記のデータ処理方法をコンピュータに実行させることを特徴とする。
本発明のコンピュータ読み取り可能な記録媒体は、前記のプログラムを記録したことを特徴とする。
【発明の効果】
【０００８】
本発明によれば、表示装置上での表示対象となるデータに係る情報に基づいて、表示装置上でのデータの表示状態を切り換えるように構成したので、例えば、コピー防止等のセキュリティ情報が付与されるデータについても、そのセキュリティ情報次第で表示させたりすること等が可能となる。
【０００９】
本発明の他の特徴によれば、データ毎に表示内容を制御することが可能となる。
【発明を実施するための最良の形態】
【００１０】
以下、本発明を適用した好適な実施形態を、添付図面を参照しながら詳細に説明する。
【００１１】
＜第１の実施形態＞
先ず、本発明の第１の実施形態について説明する。図１は、ディスプレイコントローラ（Display Controller）を含む映像信号出力装置の概略構成を示すブロック図である。図１において１０１は、ＣＰＵであり、本映像信号出力装置の制御は、ＣＰＵ１０１により制御される。ＣＰＵ１０１には、ディスプレイコントローラ１０２、メモリコントローラ１０７、通信インタフェース１１０がバス１０６により接続されている。
【００１２】
メモリコントローラ１０７には、ＲＯＭ１０８、ＲＡＭ１０９が接続されており、ＣＰＵ１０１はメモリコントローラ１０７を介して、ＲＯＭ１０８、ＲＡＭ１０９にアクセスする。また、ＣＰＵ１０１は、ＲＯＭ１０８内の制御プログラムに基づいて各種制御を行う。これらの制御の中には、通信インタフェース１１０が受信したデータをディスプレイコントローラ１０２に転送し、映像信号として出力する制御や、ＣＰＵ１０１によるＶＲＡＭ１０３へのアクセスの許可などを設定する制御が含まれる。
【００１３】
ＲＡＭ１０９は、各種プログラムのためのワークエリアや各種データを一時退避させるエリアとして使われる。通信インタフェース１１０は、外部との通信により各種データの受け渡しを行う。
【００１４】
ディスプレイコントローラ１０２には、表示データを格納するＶＲＡＭ１０３、外部ディスプレイに接続するための外部接続端子１０４が接続されている。外部接続端子１０４は、ケーブル接続により外部ディスプレイ１０５が接続される。
【００１５】
図２は、ディスプレイコントローラ１０２の構成を詳細に示すブロック図である。図２において、破線内がディスプレイコントローラ１０２に対応する部分であり、以下説明する機能ブロックにより構成される。
【００１６】
メモリコントローラ２０１は、通信インタフェース１１０から転送される表示データを受信し、ＶＲＡＭ１０３にデータを書き込む。ＶＲＡＭ１０３は、部分記憶領域である表示プレーンを複数有しており、メモリコントローラ２０１によりそれぞれ別の表示プレーンに表示データが書き込まれる。
【００１７】
表示制御部２０２は、ＣＰＵ１０１により書き込まれるＶＲＡＭ１０３の各表示プレーンのデータのセキュリティレベル、重ね合わせなどの情報を保持し、メモリコントローラ２０１を制御し、ＶＲＡＭ１０３の各表示プレーンに記憶される表示データの重ね合わせなどの処理を行い、出力画面データを合成する。また、ディスプレイ識別部２０５から出力される外部ディスプレイ１０５の信頼度レベルにより表示プレーン毎に表示のオンオフの制御を行う。ここで合成された画面データは、出力信号変換部２０３に転送される。
【００１８】
出力信号変換部２０３は、基準クロックや、ＤＡＣ（Ｄ／Ａコンバータ）を内蔵しており、基準クロックからタイミングを計り、受信した表示データをＤＡＣによりアナログ信号に変換し、映像信号（Ａｎａｌｏｇ ＲＧＢ信号など）として出力する。出力された映像信号は、バッファ（ｂｕｆｆｅｒ）２０３を介して外部接続端子１０４に出力される。
【００１９】
ディスプレイ識別部２０５は、外部接続端子１０４を介して外部ディスプレイ１０５に接続され、外部ディスプレイ１０５との通信により、外部ディスプレイ１０５内の固有のＩＤを取得し、ディスプレイ識別部２０５に接続されたＥＥＰＲＯＭ２０６に予め書き込まれた固有ＩＤ情報と外部ディスプレイ１０５の固有ＩＤから外部ディスプレイ１０５の信頼度レベルを判別する。また、ディスプレイ識別部２０５は、定期的に通信を行うことで、ディスプレイが接続されているか、違うディスプレイが接続されたかなどを判別する。
【００２０】
次にＣＰＵ１０１の処理を示す図３のフローチャートを用いて、通信インタフェース１１０から転送される表示データの受信処理について説明する。
【００２１】
表示データを送信する通信ホストにより通信が開始されると、通信インタフェース１１０からの割り込みにより、ＣＰＵ１０１はステップＳ３０１から処理を開始しステップＳ３０２に移行する。ステップＳ３０２では、現在の通信に割り当てるＶＲＡＭ１０３内の表示プレーンを選択し、ここで決められた表示プレーンに通信データを書き込むための設定をネットワーク通信部１１０に行う。
【００２２】
ネットワーク通信部１１０はバスのマスタ機能を有しており、ＣＰＵ１０１の設定によってＶＲＡＭ１０３の指示された領域に表示データを転送することが可能である。次にステップＳ３０３では、ステップＳ３０２で設定した表示プレーンのセキュリティレベルを表示制御部２０２に設定し、ステップＳ３０４では、同様にステップＳ３０２で設定した表示プレーンの重ね合わせ順位を設定する。ここで、セキュリティレベルは、表示データを送信する通信ホストから取得され、表示データにあらかじめ設定されたセキュリティのレベルである。また、重ね合わせの設定は各表示プレーンの重ねあわせを設定するもので、表示領域が同一の領域において設定された順位が高いプレーンが優先的に表示される。
【００２３】
次にステップＳ３０５では、ＣＰＵアクセスの設定を行う。ＣＰＵアクセスの設定は、表示制御部２０２を介してメモリコントローラ２０１に設定される。メモリコントローラ２０１は、領域毎に（本実施形態では、表示プレーン毎）ＣＰＵアクセスの可否が設定でき、アクセス拒否が設定された領域には、ＣＰＵからのリード、ライトが禁止され、アクセス拒否の解除が設定されると、メモリコントローラは対象の領域（表示プレーン）内のデータを消去した後にアクセスを許可する。次にステップＳ３０６では、各種設定が終了したので、通信インタフェース１１０にデータ転送の開始を設定してステップＳ３０７で処理を終了する。
【００２４】
次に、ディスプレイコントローラ１０２の動作について説明する。図４は、ディスプレイコントローラ１０２の処理を示したものであり、図２に示す各ブロックの個別の動作により図４に示す処理が実現される。
【００２５】
ディスプレイコントローラ１０２は、電源が投入され、リセット信号が解除されるとメモリコントローラ２０１、表示制御部２０２、ディスプレイ識別部２０５の各ブロックが動作を開始する。このときメモリコントローラ２０１、表示制御部２０２は、ＣＰＵ１０１のアクセスによって、前述した通信インタフェース１１０からのデータの書き込みや、各表示プレーンのセキュリティレベル、重ね合わせ順位、アクセス制限などの設定が可能である。
【００２６】
ステップＳ４０２の処理は、外部ディスプレイ１０５との接続状態が変化したか否かを判断する。この処理は、ディスプレイ識別部２０５が外部ディスプレイ１０５と外部接続端子１０４を介して定期的に通信することで実現される。
【００２７】
外部ディスプレイ１０５の接続状態の変化が検出されると、ディスプレイ識別部２０５は状態の変化を表示制御部２０２に出力する。接続状態が変化していない場合に表示制御部２０２は、ＶＲＡＭ１０３に新たに表示データが書き込まれたか判断し（ステップＳ４０９）、書き込まれていない場合には、ステップＳ４０２、ステップＳ４０９で示す処理を続ける。
【００２８】
ステップＳ４０３の処理では、表示制御部２０２は外部ディスプレイ１０５が接続されているかを判断する。外部ディスプレイ１０５が接続されている場合には、ステップＳ４０４において、外部ディスプレイ１０５の信頼度と各表示プレーンに保持される表示データのセキュリティレベルとの比較を行う。このとき、ディスプレイ識別部２０５により識別されたディスプレイ固有のＩＤから得られるディスプレイ信頼度のレベルがディスプレイ識別部２０５から表示制御部２０２へ出力されている。
【００２９】
ディスプレイ識別部２０５は外部接続端子１０４を介して、外部ディスプレイ１０５と通信を行いディスプレイ固有ＩＤを取得する。外部ディスプレイ１０５は、ＥＥＰＲＯＭを内蔵しており予め識別のための固有ＩＤが書き込まれていて、通信によりディスプレイ識別部２０５は、外部ディスプレイ１０５の固有ＩＤを受信する。
【００３０】
ディスプレイ識別部２０５は、ＥＥＰＲＯＭ２０６に格納された固有ＩＤ情報を用いて、外部ディスプレイ１０５の信頼度を決定し表示制御部２０２に出力する。ステップＳ４０４に示す処理では、表示制御部２０２は外部ディスプレイ１０５の信頼度信号を受信すると、現在ＶＲＡＭ１０３に格納されている各プレーンの表示データのセキュリティレベルとディスプレイの信頼度とを比較し、各表示プレーンの表示データのセキュリティレベルよりディスプレイ信頼度が高いか否かを判断することによって、表示可能なデータが存在するか否かを判断する。即ち、表示データのセキュリティレベルよりディスプレイの信頼度が高い場合には、当該表示データは表示可能なデータと判断され、ディスプレイの信頼度より表示データのセキュリティレベルが高い場合には、当該表示データは表示不可なデータと判断される。
【００３１】
表示可能なデータが存在する場合、表示制御部２０２は、出力信号変換部２０３とバッファ２０４の動作をスタートさせた後に（ステップＳ４０６）、ＶＲＡＭ１０３の各プレーンのデータをＣＰＵ１０１によって設定された重ね合わせ順位に従い、映像データを合成して出力信号変換部２０３に転送する（ステップＳ４０７）。出力信号変換部２０３は、受信したデータを映像信号（Ａｎａｌｏｇ ＲＧＢ信号など）に変換して、バッファ２０４で出力を強化し、外部接続端子１０４を介して映像信号を出力する（ステップＳ４０８）。
【００３２】
なお、ステップＳ４０３で外部ディスプレイ１０５の接続が検出されなかった場合、又は、ステップＳ４０５で表示可能なデータが存在しない場合には、表示制御部２０２は、出力信号変換部２０３とバッファ２０４の動作を停止する（ステップＳ４１０）。ステップＳ４０８、ステップＳ４１０の処理の後には、ステップＳ４０２の初期状態に戻り接続状態が変化するまで、同じ状態を保つ動作を行う。
【００３３】
次に、本実施形態における外部ディスプレイ１０５上での画面表示例を図５−１、図５−２を用いて説明する。
【００３４】
図５−１において、５０１は外部ディスプレイ１０５の表示領域を示すものである。５０２、５０３、５０４は、ＶＲＡＭ１０３に書き込まれた各表示プレーンに対応したデータであり、表示制御部２０２に設定された重ね合わせ設定により、重ね合わせ処理が行われ表示される。図５−１の例では、５０３に表示されているデータを格納している表示プレーンが最上位となる。
【００３５】
図５−２の表示例は、５０３の表示データのセキュリティレベルがディスプレイの信頼度よりも高い場合で、この場合、図５−１と比べ５０３の領域の表示データが表示されていない例である（図中の破線は実際には、表示されない）。外部ディスプレイ１０５の信頼度がセキュリティレベルより高い場合には、破線部に５０３に表示データが表示されることになる。
【００３６】
以上説明した本発明の第１の実施形態では、ディスプレイコントローラ１０２が外部ディスプレイ１０５を自動で判別して表示データのセキュリティレベルと比較し、表示データ毎に表示のオンオフ制御を行うことが可能であり、表示データのセキュリティを確保することができる。また、外部ディスプレイ１０５が接続されていない場合は、外部接続端子１０４から表示データが出力されないので、データのコピーも防止することができる。
【００３７】
また、本実施形態では、外部ディスプレイ１０５の信頼度が表示データのセキュリティレベルより低い場合にはその表示をオフとしたが、表示されていないことを示すために、図６−１に示すように黒データを出力したり、図６−２に示すように表示枠のみを表示しても良い。
【００３８】
また、本実施形態では、映像信号をＡｎａｌｏｇ ＲＧＢ信号としたが、出力信号変換部２０３の構成を変えることでＮＴＳＣ／ＰＡＬ信号、デジタルＲＧＢ信号、ＬＣＤ表示信号などの場合でも利用可能である。
【００３９】
＜第２の実施形態＞
次に、本発明の第２の実施形態について説明する。本実施形態では、上述した第１の実施形態におけるディスプレイコントローラ１０２の構成を変えて、外部ディスプレイ１０５の信頼度が表示データのセキュリティレベルより低い場合には、表示データの解像度を低解像度に変換して表示するように構成している。
【００４０】
図７は、本発明の第２の実施形態におけるディスプレイコントローラ１０２の構成を示す図である。図７において、メモリコントローラ７０１、出力信号変換部７０３、バッファ７０４、ディスプレイ識別部７０５、ＥＥＰＲＯＭ７０６は、図２と同様な処理を行う。図７において、表示制御部７０２は、外部ディスプレイ１０５の信頼度が表示データのセキュリティレベルより低い場合に、そのような表示データを読み込む際、解像度変換部７０７に表示データを出力し、表示データを低解像度データに変換して読み込み、出力信号変換部７０３に転送する。その他の表示データ（外部ディスプレイ１０５の信頼度よりセキュリティレベルが低い表示データ）については、解像度変換部７０７での解像度変換を行わずに、出力信号変換部７０３に表示データを転送する。
【００４１】
上記したディスプレイコントローラ１０２の動作により、本実施形態では、表示データの解像度を低解像の表示データに変換して表示することができる。また、本実施形態では、表示データを低解像度データとして表示したが、解像度変換部７０７をアルファブレンドモジュールに置き換えることにより、ディスプレイ信頼度よりセキュリティレベルの高い表示データを半透過にして表示することも可能である。
【００４２】
＜第３の実施形態＞
次に、本発明の第３の実施形態について説明する。本実施形態では、表示データの受信処理時にディスプレイ信頼度が表示データのセキュリティレベルより低い場合の表示方法の設定を行うよう構成した。本実施形態では、上記の実施形態から表示データの受信処理の手順を示す図３に換えて図８に示す処理をＣＰＵ１０１が行うものである。
【００４３】
以下、図８に示す表示データの受信処理の処理の手順について説明する。表示データを送信する通信ホストにより通信が開始されると、通信インタフェース１１０からの割り込みにより、ＣＰＵ１０１はステップＳ８０１から処理を開始しステップＳ８０２に移行する。ステップＳ８０２では、現在の通信に割り当てるＶＲＡＭ１０３内の表示プレーンを選択し、ここで決められた表示プレーンに表示データを書き込むための設定をネットワーク通信部１１０に行う。
【００４４】
次にステップＳ８０３では、ステップＳ８０２で設定した画像プレーンのセキュリティレベルを表示制御部２０２に設定し、ステップＳ８０４では、ディスプレイ信頼度が表示データのセキュリティレベルより低い場合の動作設定を行う。本実施形態では、表示データの解像度を低くして表示するか、表示データを全く表示しないか設定が可能であり、表示制御部７０２に表示データ毎に設定を行う。なお、ここでは、表示データを低解像度に変換して表示するか、表示データを全く表示しないかのうちから選択設定をできるようにしているが、本発明はこれに限らず、上述したように表示データの表示枠を破線で表示させるか黒データで表示させる等、様々な表示形式から任意の表示形式を選択できることもその範疇に含むものである。
【００４５】
この設定に従い表示制御部７０２は、ディスプレイ信頼度が表示データのセキュリティレベルより低い場合に、設定された動作を選択して処理を実施する。次に、ステップＳ８０５では、同様にステップＳ８０２で設定した表示プレーンの重ね合わせ順位を設定する。ステップＳ８０６では、ＣＰＵアクセスの許可、禁止の設定を行う。ステップＳ８０７では、各種設定が終了したので、通信インタフェース１１０にデータの転送を開始を設定してステップＳ８０８で処理を終了する。
【００４６】
以上説明したように、本実施形態では、表示データの受信処理時にディスプレイ信頼度が低い場合の表示設定を行うことが可能である。
【００４７】
また、上記の実施形態では、ディスプレイコントローラがディスプレイの信頼度を自動で判別して表示データのセキュリティレベルと比較し、表示データ毎に表示のオンオフ制御を行うことが可能であるため、外部ディスプレイ１０５が接続される形態であっても、表示データのセキュリティを確保することができる。
【００４８】
また、複数の表示データがある場合でも、表示データ毎に要求される異なるセキュリティレベルが確保できる。また、外部ディスプレイ１０５が接続されていない場合は、外部接続端子から映像信号が出力されないので、データのコピーも防止できる。
【００４９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５０】
この場合、記憶媒体から読み出されたプログラムコード自体が前述した実施形態の機能を実現することになり、プログラムコード自体及びそのプログラムコードを記憶した記憶媒体は本発明を構成することになる。
【００５１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５２】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００５３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００５４】
【図１】本発明の第１〜第３の実施形態に係る映像信号出力装置の概略構成を示すブロック図である。
【図２】本発明の第１の実施形態に係るディスプレイコントローラの構成を詳細に示すブロック図である。
【図３】本発明の第１及び第２の実施形態における表示データの受信処理の手順を示すフローチャートである。
【図４】本発明の第１の実施形態におけるディスプレイコントローラの処理手順を示すフローチャートである。
【図５−１】本発明の第１の実施形態における外部ディスプレイ上での画面表示例を示す図である。
【図５−２】本発明の第１の実施形態における外部ディスプレイ上での画面表示例を示す図である。
【図６−１】本発明の第１の実施形態における外部ディスプレイ上での画面表示例を示す図である。
【図６−２】本発明の第１の実施形態における外部ディスプレイ上での画面表示例を示す図である。
【図７】本発明の第２の実施形態におけるディスプレイコントローラの構成を詳細に示すブロック図である。
【図８】本発明の第３の実施形態における表示データの受信処理の手順を示すフローチャートである。
【符号の説明】
【００５５】
１０１  ＣＰＵ
１０２  ディスプレイコントローラ
１０３  ＶＲＡＭ
１０４  外部接続端子
１０５  外部ディスプレイ
１０６  バス
１０７  メモリコントローラ
１０８  ＲＯＭ
１０９  ＲＡＭ
１１０  通信インタフェース
２０１、７０１  メモリコントローラ
２０２、７０２  表示制御部
２０３、７０３  出力信号変換部
２０４、７０４  バッファ
２０５、７０５  ディスプレイ識別部
２０６、７０６  ＥＥＰＲＯＭ
７０７  解像度変換部
【図１】
2006340320.tif 000003
【図２】
2006340320.tif 000004
【図３】
2006340320.tif 000005
【図４】
2006340320.tif 000006
【図５−１】
2006340320.tif 000007
【図５−２】
2006340320.tif 000008
【図６−１】
2006340320.tif 000009
【図６−２】
2006340320.tif 000010
【図７】
2006340320.tif 000011
【図８】
2006340320.tif 000012